(57)【要約】      （修正有）【課題】引越し時においてダンボール箱の表面に表記してある梱包物の内容の正確な識別が実行されることが困難という現状がある。本考案の第１の課題は、引越し、運搬作業の行程業務のスムースな流れを休める事なく大幅な時間の短縮が可能にする事により大幅な経費の削減を実現すること。また、第２の課題は内容物の識別の誤りや見落としを無くして、内容物が間違った着地場所に置かれることの大幅な削減である。【解決手段】ダンボール箱の側面に５分の壱以上のカラー化から、ダンボール箱全体のカラー化、若しくはカラーの帯のように見える文字の配列若しくはダンボール箱全体の配列によって、遠目にも一目瞭然にすばやく判断し、手を止めることなく作業を円滑に進める事が出来る。【選択図】図１
0003130202.tif 000002
【実用新案登録請求の範囲】
【請求項１】
ダンボール箱、全体の面積に単色のカラー、或いは全体として有る一定のカラーとして把握できる一色、或はマルチの文字列を施したことを特徴とする引越し、運搬用のダンボール箱。
【請求項２】
ダンボール箱の一部分の面積に単色のカラー、或いは全体として有る一定のカラーとして把握できる一色、或はマルチの文字列を施したことを特徴とする請求項１記載の引越し、運搬用のダンボール箱。
【考案の詳細な説明】
【技術分野】
【０００１】
本新案は引越し等、梱包された内容物の移動の時、ダンボール箱のカラー化によって、しかるべき内容物が、しかるべき目的場所に間違いなく運ばれる為の内容物の識別を容易に行い要される時間と手間を著しく短縮し効率化を図る梱包物に関するものである。  
【背景技術】
【０００２】
一般的に、引越しされる場合、梱包物の内容は同じ色の段ボール箱の上部又は側部に内容物の名称をマジックインキ等で書かれている場合が多い。
【０００３】
しかし内容物の正確な識別は作業の時間の短縮により経費の削減と収益の増加に繋がる引越し業において、実行されることが困難という現状がある。
【０００４】
梱包物が目的地に着いたとき、ほとんど内容を顕す文字は正確に識別されずに、無差別に上積みされる場合が多いのでダイニングに行くものがダイニングに、居間に行くものが居間に、書斎に行くものは書斎に置かれることはほとんど無い。
【０００５】
又、１階のダイニングに置かれるべきものが２階の書斎に置かれたり、２階に置かれるべきものが１階に置かれたりすることもある。
【０００６】
このようにして、運ばれた梱包物は結局、現地で内容物と一致しない場所に置かれ、箱を開けられてから又、箱ごと移動しなければいけなくなるという2度手間3度手間を専門家で無い依頼主が自ら力仕事を運送業のスタッフが引き上げてからしなければいけないと言う負担を負わされる事が多々ある。
【０００７】
従来の事務用のダンボール箱の内容を識別するのには、カラーのドットシールを貼る等の方法があった。しかし面積が小さいドットシールの識別は引越しのようなスピードが要求される大雑把な作業の流れの中では不適切である。
【特許文献１】特開２００５−４１５５０
【考案の開示】
【考案が解決しようとする課題】
【０００８】
ダンボール箱に施された色彩の面積の量の違いは質の違いに変ずる。
従来、事務用品の箱の内容を示すためにカラーのドットシールを貼ることで内容を判別することは色彩の活用方法としては既に用いられて来たことだが、ダンボール箱全体の色彩を変えて内容物の判別化を図ることは従来から無かったことである。
【０００９】
このカラー化されたダンボール箱によって従来のように文字で内容物を判別したり、あるいは小さなカラーのドットシールの色彩を判別したりする為に要する作業の流れを止める時間の無駄や動作の無駄を著しく短縮することが出来る。
すなわち色彩の持つ機能性を引越し業務に必要な流れ作業の中で最大限に即応させた活用法を特徴とするダンボール箱である。
【００１０】
一般的に、ダンボール箱は従来、厚紙の材質を顕したうすい茶系と決まっていた。
【００１１】
ダンボール箱は単なる容器であり、それ以上、メッセージを表す機能は期待されず、内容物は単に文字で規定されれば十分という認識に留まっていた。
【００１２】
しかし、文字を認識する為に要する時間や手間が惜しまれ、特にそれが全体の作業の機能低下を招く引越しの運搬業務などを含む移動、運搬作業において、正確に文字を読む行為や時間の浪費を要求される行為は作業の流れを止め著しく業務のスムーズな運行の障害になり実質的に正確に実行されることを期待されるのは実質上、困難である。
【００１３】
そのため1階のダイニングに行くべきものが2階の書斎や寝室に行ったり、2階の寝室に行くべきのものが1階のリビングに行ったりして、又新たに1階から2階に、2階から1階に引越しの専門家で無い依頼主が自ら力仕事を運送業のスタッフが引き上げてからしなければいけないと言う負担を負わされる事が多々あった。
【００１４】
本考案の第１の課題は、引越し、運搬作業の行程で時間や作業のスムーズな一連の流れを止めることなく業務を遂行させることによる大幅な時間の短縮が可能な為、費用の削減である。
【００１５】
また、第２の課題は、間違った、内容物の識別や見落としを無くして内容物が間違った着地場所に置かれることの大幅な削減である。
【課題を解決するための手段】
【００１６】
そこで本考案は引越し作業等、内容物の移動、運搬において、ダンボール箱に色彩を持ち込むことにより内容物や運搬する目的地を一目瞭然に判別できる、いわば色彩の機能性を運搬作業の中に効率的に織り込んだ機能活用である。
【００１７】
ダンボール箱の側面に5分の壱以上のカラー化からダンボール箱全体のカラー化、若しくはカラーの帯のように見える文字の配列若しくはダンボール箱全体の配列によって、遠目にも一目瞭然にすばやく判断し、手を止めることなく作業を円滑に進める事が出来る。
【００１８】
そのことにより、引越し、運搬の依頼主が運送業のスタッフが去った後に強いられる多大な負担から開放される。
【考案の効果】
【００１９】
ダンボール箱に施された色彩の量の違いは質の違いに変化する。
本請求項１記載のダンボール箱によれば、ダンボール箱の側面に5分の壱以上のカラー
〔図４〕〔図５〕かダンボール箱全体のカラー、若しくはカラーの帯のように見える文字の配列〔図６〕若しくはダンボール箱全体の配列を施す色彩〔図１〕〔図２〕〔図３〕の機能活用によって、遠目にも一目瞭然にすばやく判断し、手を止めることなく作業を円滑に進める事が出来る。
【００２０】
さらに、同じ色彩のダンボール箱は積み重ねるとそれだけで一つの色のかたまりと成り遠目から見てもさらに判別が容易に付き易いという利点がある。
【００２１】
又、梱包する際もあらかじめダンボール箱を色分けすることによって着地地点がはっきりするので梱包がしやすい利点がある。
【００２２】
ダンボール箱のサイズそのものは通常の、従来どおりのサイズ展開でそのまま活用でる。
【００２３】
コストはカラーの印刷だけである。
【００２４】
したがって、非常に安価なコストで引越し、運搬作業において従来にない画期的に時間、労力、費用の削減が実現するという効果がある画期的な色彩機能活用である。
【００２５】
また、5分の一以上ダンボール箱全体の色彩によって遠目からも一目瞭然で判別でき、手を止める必要が無く動作を止める必要が無いため業務の連続的な運行が妨害されることが無い。従って余分な時間や作業の中断を要求されることが無いため非常に作業が効率的にかつ円滑にスムーズに運ぶと言う利点がある。結果として大幅な時間の短縮が実現され経費の削減に繋がる。
【図面の簡単な説明】
【００２６】
【図１】本新案に係るダンボール箱のカラー１を示す斜視図。
【図２】本新案に係るのダンボール箱のカラー２を示す斜視図。
【図３】本新案に係るのダンボール箱のカラー３を示す斜視図。
【図４】本新案に係るのダンボール箱のカラー１を５分の１取り入れた実施例を示す斜視図。
【図５】本新案に係るのダンボール箱のカラー２を５分の１取り入れた実施例を示す斜視図。
【図６】本新案に係るのダンボール箱のカラー３を５分の１取り入れた実施例を示す斜視図。
【符号の説明】
【００２７】
Ａ  ピンク
Ｂ  ブルー
Ｃ  カラー文字  若しくは全体的にひとつの印象を与えるマルチカラー
【図１】
0003130202.tif 000003
【図２】
0003130202.tif 000004
【図３】
0003130202.tif 000005
【図４】
0003130202.tif 000006
【図５】
0003130202.tif 000007
【図６】
0003130202.tif 000008
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
カラー識別という構造を有するダンボール箱であって全体の面積に収納内容を識別し得る単色のカラー、或いは全体として収納内容を識別し得る或る一定のカラーの組み合わせ、或いは収納内容を識別し得るマルチの文字列を施したことを特徴とするダンボール箱。
【請求項２】
ダンボール箱の一部分の面積に単色のカラー、或いは全体として或る一定のカラーの組み合わせとして把握できる一色、或はマルチの文字列を施したことを特徴とする請求項１記載のダンボール箱。
【手続補正２】
【補正対象書類名】明細書
【補正対象項目名】全文
【補正方法】変更
【補正の内容】
【考案の詳細な説明】
【技術分野】
【０００１】
本新案は引越し等、梱包された内容物の移動の時、カラー識別という構造を有するダンボール箱のカラー化によって、しかるべき内容物が、しかるべき目的場所に間違いなく運ばれる為の内容物の識別を容易に行い要される時間と手間を著しく短縮し効率化を図る梱包物に関するものである。  
【背景技術】
【０００２】
一般的に、引越しされる場合、梱包物の内容は同じ色の段ボール箱の上部又は側部に内容物の名称をマジックインキ等で書かれている場合が多い。
【０００３】
しかし内容物の正確な識別は作業の時間の短縮により経費の削減と収益の増加に繋がる引越し業において、実行されることが困難という現状がある。
【０００４】
梱包物が目的地に着いたとき、ほとんど内容を顕す文字は正確に識別されずに、無差別に上積みされる場合が多いのでダイニングに行くものがダイニングに、居間に行くものが居間に、書斎に行くものは書斎に置かれることはほとんど無い。
【０００５】
又、１階のダイニングに置かれるべきものが２階の書斎に置かれたり、２階に置かれるべきものが１階に置かれたりすることもある。
【０００６】
このようにして、運ばれた梱包物は結局、現地で内容物と一致しない場所に置かれ、箱を開けられてから又、箱ごと移動しなければいけなくなるという2度手間3度手間を専門家で無い依頼主が自ら力仕事を運送業のスタッフが引き上げてからしなければいけないと言う負担を負わされる事が多々ある。
【０００７】
従来の事務用のダンボール箱の内容を識別するのには、カラーのドットシールを貼る等の方法があった。しかし面積が小さいドットシールの識別は引越しのようなスピードが要求される大雑把な作業の流れの中では不適切である。
【特許文献１】特開２００５−４１５５０
【考案の開示】
【考案が解決しようとする課題】
【０００８】
ダンボール箱に施された色彩の面積の量の違いは質の違いに変ずる。
従来、事務用品の箱の内容を示すためにカラーのドットシールを貼ることで内容を判別することは色彩の活用方法としては既に用いられて来たことだが、ダンボール箱全体の色彩を変えて内容物の判別化を図ることは従来から無かったことである。
【０００９】
このカラー識別という構造を有するダンボール箱によって従来のように文字で内容物を判別したり、あるいは小さなカラーのドットシールの色彩を判別したりする為に要する作業の流れを止める時間の無駄や動作の無駄を著しく短縮することが出来る。
すなわち色彩の持つ機能性を引越し業務に必要な流れ作業の中で最大限に即応させた活用法を特徴とするダンボール箱である。
【００１０】
一般的に、ダンボール箱は従来、厚紙の材質を顕したうすい茶系と決まっていた。
【００１１】
ダンボール箱は単なる容器であり、それ以上、メッセージを表す機能は期待されず、内容物は単に文字で規定されれば十分という認識に留まっていた。
【００１２】
しかし、文字を認識する為に要する時間や手間が惜しまれ、特にそれが全体の作業の機能低下を招く引越しの運搬業務などを含む移動、運搬作業において、正確に文字を読む行為や時間の浪費を要求される行為は作業の流れを止め著しく業務のスムーズな運行の障害になり実質的に正確に実行されることを期待されるのは実質上、困難である。
【００１３】
そのため1階のダイニングに行くべきものが2階の書斎や寝室に行ったり、2階の寝室に行くべきのものが1階のリビングに行ったりして、又新たに1階から2階に、2階から1階に引越しの専門家で無い依頼主が自ら力仕事を運送業のスタッフが引き上げてからしなければいけないと言う負担を負わされる事が多々あった。
【００１４】
本考案の第１の課題は、引越し、運搬作業の行程で時間や作業のスムーズな一連の流れを止めることなく業務を遂行させることによる大幅な時間の短縮が可能な為、費用の削減である。
【００１５】
また、第２の課題は、間違った、内容物の識別や見落としを無くして内容物が間違った着地場所に置かれることの大幅な削減である。
【課題を解決するための手段】
【００１６】
そこで本考案は引越し作業等、内容物の移動、運搬において、ダンボール箱に色彩を持ち込むことにより内容物や運搬する目的地を一目瞭然に判別できる、いわば色彩の機能性を運搬作業の中に効率的に織り込んだ機能活用である。
【００１７】
ダンボール箱の側面に5分の壱以上のカラー化からダンボール箱全体のカラー化、若しくはカラーの帯のように見える文字の配列若しくはダンボール箱全体の配列によって、遠目にも一目瞭然にすばやく判断し、手を止めることなく作業を円滑に進める事が出来る。
【００１８】
そのことにより、引越し、運搬の依頼主が運送業のスタッフが去った後に強いられる多大な負担から開放される。
【考案の効果】
【００１９】
カラー識別という構造を有するダンボール箱に施された色彩の量の違いは質の違いに変化する。
本請求項１記載のカラー識別という構造を有するダンボール箱によれば、ダンボール箱の側面に5分の壱以上のカラー
〔図４〕〔図５〕かダンボール箱全体のカラー、若しくはカラーの帯のように見える文字の配列〔図６〕若しくはダンボール箱全体の配列を施す色彩〔図１〕〔図２〕〔図３〕の機能活用によって、遠目にも一目瞭然にすばやく判断し、手を止めることなく作業を円滑に進める事が出来る。
【００２０】
さらに、同じ色彩のカラー識別という構造を有するダンボール箱は積み重ねるとそれだけで一つの色のかたまりと成り遠目から見てもさらに判別が容易に付き易いという利点がある。
【００２１】
又、梱包する際もあらかじめカラー識別という構造を有するダンボール箱を色分けすることによって着地地点がはっきりするので梱包がしやすい利点がある。
【００２２】
カラー識別という構造を有するダンボール箱のサイズそのものは通常の、従来どおりのサイズ展開でそのまま活用でる。
【００２３】
コストはカラーの印刷だけである。
【００２４】
したがって、非常に安価なコストで引越し、運搬作業において従来にない画期的に時間、労力、費用の削減が実現するという効果がある画期的な色彩機能活用である。
【００２５】
また、5分の一以上ダンボール箱全体の色彩によって遠目からも一目瞭然で判別でき、手を止める必要が無く動作を止める必要が無いため業務の連続的な運行が妨害されることが無い。従って余分な時間や作業の中断を要求されることが無いため非常に作業が効率的にかつ円滑にスムーズに運ぶと言う利点がある。結果として大幅な時間の短縮が実現され経費の削減に繋がる。
【図面の簡単な説明】
【００２６】
【図１】本新案に係るカラー識別という構造を有するダンボール箱のカラー１を示す斜視図。
【図２】本新案に係るカラー識別という構造を有するダンボール箱のカラー２を示す斜視図。
【図３】本新案に係るカラー識別という構造を有するダンボール箱のカラー３を示す斜視図。
【図４】本新案に係るカラー識別という構造を有するダンボール箱のカラー１を５分の１取り入れた実施例を示す斜視図。
【図５】本新案に係るカラー識別という構造を有するダンボール箱のカラー２を５分の１取り入れた実施例を示す斜視図。
【図６】本新案に係るカラー識別という構造を有するダンボール箱のカラー３を５分の１取り入れた実施例を示す斜視図。
【符号の説明】
【００２７】
Ａ  ピンク
Ｂ  ブルー
Ｃ  カラー文字  若しくは全体的にひとつの印象を与えるマルチカラー
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
複数の段ボール箱からなる一群のダンボール箱における各段ボール箱が全体の面積に、引越し又は運搬先を識別し得る、単色のカラー、或いは全体として引越し又は運搬先を識別し得る有る一定のカラーの組み合わせ、或はマルチの文字列を施したことを特徴とする引越し、運搬用のダンボール箱。
【請求項２】
ダンボール箱の一部分の面積に単色のカラー、或いは全体として有る一定のカラーとして把握できる一色、或はマルチの文字列を施したことを特徴とする請求項１記載の引越し、運搬用のダンボール箱。
【手続補正２】
【補正対象書類名】明細書
【補正対象項目名】全文
【補正方法】変更
【補正の内容】
【考案の詳細な説明】
【技術分野】
【０００１】本新案は引越し等、梱包された内容物の移動の時、複数の段ボール箱における各段ボール箱のカラー化によって、しかるべき内容物が、しかるべき目的場所に間違いなく運ばれる為の内容物と目的地の識別を容易に行い要される時間と手間を著しく短縮し効率化を図る梱包物に関するものである。  
【背景技術】
【０００２】一般的に、引越しされる場合、梱包物の内容は同じ色の段ボール箱の上部又は側部に内容物の名称をマジックインキ等で書かれている場合が多い。【０００３】しかし内容物の正確な識別は作業の時間の短縮により経費の削減と収益の増加に繋がる引越し業において、実行されることが困難という現状がある。【０００４】梱包物が目的地に着いたとき、ほとんど内容を顕す文字は正確に識別されずに、無差別に上積みされる場合が多いのでダイニングに行くものがダイニングに、居間に行くものが居間に、書斎に行くものは書斎に置かれることはほとんど無い。  引越し、運搬業において多数のダンボール箱が必要であり、同じ着地点に移動することを目的とされる複数のダンボール箱からなる1群のダンボール箱はそれ自体ひとつの構造体といえる。  その構造体を目的地に移動させる為に、解体され積載され荷卸された後、再び同じ構造体に戻される為には従来のように単に情報の表現としての文字や狭量のカラーの読み込みによるものでは非常に非効率で機動性に欠ける。  そこで引越し、運搬業においては、その判別に必要な情報の読み取りにより正確に、より効率よく、より短時間に行われることが必要であり、カラーの持つ機能を取り入れたカラー識別による構造体の再生が有効なものとなる。具体的にはダンボール箱の一部分の面積に単色のカラー、或いは全体として有る一定のカラーとして把握できる一色、或はマルチの文字列を施したことを特徴とする請求項１記載の引越し、運搬用のダンボール箱。【０００５】又、１階のダイニングに置かれるべきものが２階の書斎に置かれたり、２階に置かれるべきものが１階に置かれたりすることもある。【０００６】このようにして、運ばれた梱包物は結局、現地で内容物と一致しない場所に置かれ、箱を開けられてから又、箱ごと移動しなければいけなくなるという2度手間3度手間を専門家で無い依頼主が自ら力仕事を運送業のスタッフが引き上げてからしなければいけないと言う負担を負わされる事が多々ある。【０００７】従来の事務用のダンボール箱の内容を識別するのには、カラーのドットシールを貼る等の方法があった。しかし面積が小さいドットシールの識別は引越しのようなスピードが要求される大雑把な作業の流れの中では不適切である。【特許文献１】特開２００５−４１５５０
【考案の開示】
【考案が解決しようとする課題】
【０００８】  ダンボール箱に施された色彩の面積の量の違いは質の違いに変ずる。  従来、事務用品の箱の内容を示すためにカラーのドットシールを貼ることで内容を判別することは色彩の活用方法としては既に用いられて来たことだが、ダンボール箱全体の色彩を変えて内容物の判別化を図ることは従来から無かったことである。【０００９】この複数の段ボール箱において、ダンボール箱によって従来のように文字で内容物を判別したり、あるいは小さなカラーのドットシールの色彩を判別したりする為に要する作業の流れを止める時間の無駄や動作の無駄を著しく短縮することが出来る。すなわち色彩の持つ機能性を引越し業務に必要な流れ作業の中で最大限に即応させた活用法を特徴とするダンボール箱である。【００１０】一般的に、ダンボール箱は従来、厚紙の材質を顕したうすい茶系と決まっていた。【００１１】ダンボール箱は単なる容器であり、それ以上、メッセージを表す機能は期待されず、内容物は単に文字で規定されれば十分という認識に留まっていた。【００１２】しかし、文字を認識する為に要する時間や手間が惜しまれ、特にそれが全体の作業の機能低下を招く引越しの運搬業務などを含む移動、運搬作業において、正確に文字を読む行為や時間の浪費を要求される行為は作業の流れを止め著しく業務のスムーズな運行の障害になり実質的に正確に実行されることを期待されるのは実質上、困難である。【００１３】そのため1階のダイニングに行くべきものが2階の書斎や寝室に行ったり、2階の寝室に行くべきのものが1階のリビングに行ったりして、又新たに1階から2階に、2階から1階に引越しの専門家で無い依頼主が自ら力仕事を運送業のスタッフが引き上げてからしなければいけないと言う負担を負わされる事が多々あった。【００１４】本考案の第１の課題は、引越し、運搬作業の行程で時間や作業のスムーズな一連の流れを止めることなく業務を遂行させることによる大幅な時間の短縮が可能な為、費用の削減である。【００１５】また、第２の課題は、間違った、内容物の識別や見落としを無くして内容物が間違った着地場所に置かれることの大幅な削減である。
【課題を解決するための手段】
【００１６】そこで本考案は引越し作業等、内容物の移動、運搬において、ダンボール箱に色彩を持ち込むことにより内容物や運搬する目的地を一目瞭然に判別できる、いわば色彩の機能性を運搬作業の中に効率的に織り込んだ機能活用である。【００１７】ダンボール箱の側面に5分の壱以上のカラー化からダンボール箱全体のカラー化、若しくはカラーの帯のように見える文字の配列若しくはダンボール箱全体の配列によって、遠目にも一目瞭然にすばやく判断し、手を止めることなく作業を円滑に進める事が出来る。【００１８】そのことにより、引越し、運搬の依頼主が運送業のスタッフが去った後に強いられる多大な負担から開放される。
【考案の効果】
【００１９】複数のダンボール箱からなる一群のダンボール箱にあっては各ダンボール箱は引越し又は運搬業において移動先を識別し得るカラー識別という機能を有するダンボール箱に施された色彩の量の違いは質の違いに変化する。本請求項１記載のカラー識別という機能を有するダンボール箱によれば、ダンボール箱の側面に5分の壱以上のカラー〔図４〕〔図５〕かダンボール箱全体のカラー、若しくはカラーの帯のように見える文字の配列〔図６〕若しくはダンボール箱全体の配列を施す色彩〔図１〕〔図２〕〔図３〕の機能活用によって、遠目にも一目瞭然にすばやく判断し、手を止めることなく作業を円滑に進める事が出来る。【００２０】さらに、複数のダンボール箱における同じ色彩のカラー識別という機能を有する各ダンボール箱は積み重ねるとそれだけで一つの色のかたまりと成り遠目から見てもさらに判別が容易に付き易いという利点がある。【００２１】又、梱包する際もあらかじめカラー識別という機能を有する複数のダンボール箱からなる各ダンボール箱を色分けすることによって着地地点がはっきりするので梱包がしやすい利点がある。【００２２】カラー識別という機能を有するダンボール箱のサイズそのものは通常の、従来どおりのサイズ展開でそのまま活用でる。【００２３】コストはカラーの印刷だけである。【００２４】したがって、非常に安価なコストで引越し、運搬作業において従来にない画期的に時間、労力、費用の削減が実現するという効果がある画期的な色彩機能活用である。【００２５】また、5分の一以上ダンボール箱全体の色彩によって遠目からも一目瞭然で判別でき、手を止める必要が無く動作を止める必要が無いため業務の連続的な運行が妨害されることが無い。従って余分な時間や作業の中断を要求されることが無いため非常に作業が効率的にかつ円滑にスムーズに運ぶと言う利点がある。結果として大幅な時間の短縮が実現され経費の削減に繋がる。
【図面の簡単な説明】
【００２６】
【図１】本新案における複数の段ボール箱からなる一群の段ボール箱の各ダンボール箱のカラー１を示す斜視図。
【図２】本新案における複数の段ボール箱からなる一群の段ボール箱の各ダンボール箱のカラー２を示す斜視図。
【図３】本新案における複数の段ボール箱からなる一群の段ボール箱の各ダンボール箱のカラー３を示す斜視図。
【図４】本新案における複数の段ボール箱からなる一群の段ボール箱の各ダンボール箱のカラー１を５分の１取り入れた実施例を示す斜視図。
【図５】本新案における複数の段ボール箱からなる一群の段ボール箱の各ダンボール箱のカラー２を５分の１取り入れた実施例を示す斜視図。
【図６】本新案における複数の段ボール箱からなる一群の段ボール箱の各ダンボール箱のカラー３を５分の１取り入れた実施例を示す斜視図。
【符号の説明】
【００２７】    Ａ  ピンク    Ｂ  ブルー    Ｃ  カラー文字  若しくは全体的にひとつの印象を与えるマルチカラー